(57)【要約】【課題】  漏れを防止するカフの基側縁で体液が滞留することなくかぶれ等の肌トラブルを抑制することができる着用物品を提供する。【解決手段】  おむつ１０を形成するシャーシ２０は、身体側に位置する内面シート２１と、着衣側に位置する外面シート２２とを含み、これら内外面シート２１，２２の間には吸液構造体４０が形成される。吸液構造体４０には高吸収領域が形成され、高吸収領域では残余の部分よりも体液の吸収容量が大きくなるようにしている。高吸収領域は、前端縁１４側に位置する前領域４３と、後端縁１５側に位置する後領域４４とを有し、吸液性芯材４１を厚さ方向に重ねることによって形成される。内面シート２１の身体側には、漏れ防止カフ３０が形成されている。漏れ防止カフ３０の基側縁部３１は、内面シート２１と接着手段３４を介して接合され、接着手段３４の一部が、吸液構造体４０の前後領域４３，４４と重なって位置している。【選択図】図２
2010136894.tif 000002
【特許請求の範囲】
【請求項１】
縦方向および横方向と、身体側およびその反対側と、前記縦方向に連なる前ウエスト域、後ウエスト域および前記前後ウエスト域間に位置するクロッチ域とを有するシャーシと、少なくとも前記クロッチ域に配置され体液を吸収可能な吸液構造体と、前記シャーシの前記身体側にあって前記横方向に離間して形成された一対の漏れ防止カフとを含む着用物品において、
前記漏れ防止カフは、前記縦方向に延びるとともに、前記シャーシに接合する基側縁と、前記シャーシから離間可能な自由側縁と、前記自由側縁に前記縦方向に伸長状態で取り付けられたカフ弾性部材とを含み、
前記吸液構造体は、高吸収領域を有し、該高吸収領域は、残余の部分よりも体液の吸収容量が多く、
前記基側縁は、前記高吸収領域に重なって形成されることを特徴とする前記着用物品。
【請求項２】
前記吸液構造体は、吸液性芯材と、該吸液性芯材を覆う被覆シートとを含み、
前記高吸収領域は、前記吸液性芯材を前記吸液構造体の厚さ方向に重ね、前記吸液構造体の厚さ方向の寸法を前記残余の部分よりも厚くすることによって形成される請求項１記載の着用物品。
【請求項３】
前記吸液構造体は、吸液性芯材と、該吸液性芯材を覆う被覆シートとを含み、
前記高吸収領域は、前記吸液性芯材の単位面積当たりの質量を残余の部分よりも多くすることによって形成される請求項１記載の着用物品。
【請求項４】
前記横方向に延びるとともに、前記着用物品を縦方向に向かって折り畳む折曲線をさらに含み、
前記折曲線の少なくとも一部は、前記高吸収領域に重なって形成される請求項１〜３のいずれかに記載の着用物品。
【請求項５】
前記高吸収領域は、前記縦方向に離間した前後領域を含み、前記前後領域は、前記クロッチ域から前記前後ウエスト域へと連続して形成される請求項１〜４のいずれかに記載の着用物品。
【請求項６】
前記高吸収領域は、前記横方向に離間して形成される請求項１〜５のいずれかに記載の着用物品。
【請求項７】
前記シャーシの前記身体側であって、一対の前記漏れ防止カフの前記横方向の間には、吸液性パッドをさらに含む請求項１〜６のいずれかに記載の着用物品。
【発明の詳細な説明】
【技術分野】
【０００１】
この発明は、着用物品に関し、さらに詳しくは使い捨てのおむつ、排便トレーニングパンツ、失禁ブリーフ等の着用物品に関する。
【背景技術】
【０００２】
従来、着用物品の一例である使い捨て衣料として、例えば、特表２００８−５３４２３０号公報（特許文献１）が公知である。この特許文献１では、使い捨て衣料は、トップシートと、バックシートと、これらの間に位置する吸収性集合体と、トップシートの身体側に形成されたバリアレッグカフとを含む。バリアレッグカフは、トップシートから延出したバックシートに接合される基端縁と、トップシートを介して吸収性集合体から離間可能な末端縁とを含む。基端縁は、吸収性集合体の両外側に位置する。使い捨て衣料の使用時には、バリアレッグカフの末端縁が、身体側に向かって立つように、吸液性集合体から離間する。このようにバリアレッグカフが起立することによって、横方向に尿等の体液が漏れるのを防止している。
【特許文献１】特表２００８−５３４２３０号公報（ＪＰ  ２００８−５３４２３０  Ａ）
【発明の開示】
【発明が解決しようとする課題】
【０００３】
バリアレッグカフの基端縁は、吸収性集合体の両外側に位置しているので、バリアレッグカフの基端縁の内側には、吸収性集合体が存在しない領域が形成される。バリアレッグカフの基端縁によって、漏れが防止された体液は、バリアレッグカフの基端縁に沿って、吸収性集合体側へと流れる。しかし、このバリアレッグカフの基端縁には吸収性集合体が存在しないので、体液が基端縁に滞留することがある。この滞留した体液によって、かぶれなどの肌トラブルを起こす可能性がある。
【０００４】
この発明では、漏れを防止するカフの基側縁で体液が滞留することなくかぶれ等の肌トラブルを抑制することができる着用物品を提供することを課題とする。
【課題を解決するための手段】
【０００５】
この発明は、縦方向および横方向と、身体側およびその反対側と、前記縦方向に連なる前ウエスト域、後ウエスト域および前記前後ウエスト域間に位置するクロッチ域とを有するシャーシと、少なくとも前記クロッチ域に配置される吸液構造体と、前記シャーシの前記身体側にあって前記横方向に離間して形成された一対の漏れ防止カフとを含む着用物品の改良に関わる。
【０００６】
この発明は前記着用物品において、前記漏れ防止カフは、前記縦方向に延びるとともに、前記シャーシに接合する基側縁と、前記シャーシから離間可能な自由側縁と、前記自由側縁に前記縦方向に伸長状態で取り付けられたカフ弾性部材とを含み、前記吸液構造体は、高吸収領域を有し、該高吸収領域は、残余の部分よりも体液の吸収容量が多く、前記基側縁は、前記高吸収領域に重なって形成されることを特徴とする。
【０００７】
好ましい実施態様のひとつとして、前記吸液構造体は、吸液性芯材と、該吸液性芯材を覆う被覆シートとを含み、前記高吸収領域は、前記吸液性芯材を前記吸液構造体の厚さ方向に重ね、前記吸液構造体の厚さ方向の寸法を前記残余の部分よりも厚くすることによって形成される。
【０００８】
好ましい実施態様のひとつとして、前記吸液構造体は、吸液性芯材と、該吸液性芯材を覆う被覆シートとを含み、前記高吸収領域は、前記吸液性芯材の単位面積当たりの質量を残余の部分よりも多くすることによって形成される。
【０００９】
好ましい実施態様のひとつとして、前記横方向に延びるとともに、前記着用物品を縦方向に向かって折り畳む折曲線をさらに含み、前記折曲線の少なくとも一部は、前記高吸収領域に重なって形成される。
【００１０】
好ましい他の実施態様のひとつとして、前記高吸収領域は、前記縦方向に離間した前後領域を含み、前記前後領域は、前記クロッチ域から前記前後ウエスト域へと連続して形成される。
【００１１】
好ましい他の実施態様のひとつとして、前記高吸収領域は、前記横方向に離間して形成される。
【００１２】
好ましい他の実施態様のひとつとして、前記シャーシの前記身体側であって、一対の前記漏れ防止カフの前記横方向の間には、吸液性パッドをさらに含む。
【発明の効果】
【００１３】
体液等を吸収可能な吸液構造体は、高吸収領域を含み、この高吸収領域と漏れ防止カフの基側縁とが重なるようにしているので、基側縁を伝った体液は、吸液構造体に速やかに吸収される。すなわち、体液が基側縁近傍において、シャーシ上に滞留することがない。したがって、滞留した体液によるかぶれ等の肌トラブルを抑制することができる。
【発明を実施するための最良の形態】
【００１４】
着用物品として使い捨ておむつを用い、この発明の一例を説明する。
【００１５】
図１〜４は、この発明の一実施形態を示したものであり、大人用のおむつをその一例として説明する。図１はおむつ１０の組み立て状態における斜視図であり、図２はおむつ１０の展開図であって説明のためにその一部を破断している。図３は図２のＩＩＩ−ＩＩＩ線断面図の概要であり、図４は図２のＩＶ−ＩＶ線断面図の概要である。図示したように、おむつ１０は横方向Ｘの長さ寸法を二等分する縦中心線Ｐ−Ｐと、縦方向Ｙの長さ寸法を二等分する横中心線Ｑ−Ｑとを含むとともに、シャーシ２０とシャーシ２０の身体側に位置する一対の漏れ防止カフ３０とを含む。
【００１６】
おむつ１０は、縦方向Ｙに連なる前ウエスト域１１、後ウエスト域１２、これら前後ウエスト域１１，１２の間に位置するクロッチ域１３を含む。前後ウエスト域１１，１２には、それぞれ横方向Ｘに延びる前後端縁１４，１５が形成され、これら前後端縁１４，１５によってウエスト開口が形成される。また、おむつ１０は、縦方向Ｙに延びるとともに前後ウエスト域１１，１２に位置する前後側縁１６，１７と、クロッチ域１３に位置するクロッチ側縁１８とが形成され、クロッチ側縁１８によってレッグ開口が形成される。
【００１７】
シャーシ２０は、身体側に位置する内面シート２１と、身体側とは反対側である着衣側に位置する外面シート２２とを含み、これら内外面シート２１，２２の間には、吸液構造体４０が形成される。吸液構造体４０は、吸液性芯材４１と、この吸液性芯材４１を覆う被覆シート４２とを含む。内外面シート２１，２２は液透過性の繊維不織布等、吸液性芯材４１はフラッフパルプと高吸収性ポリマー粒子との混合物等、被覆シート４２は液拡散性のティッシュペーパ等、それぞれ当技術分野の慣用素材を用いることができる。
【００１８】
内外面シート２１，２２の間には、後側縁１７から横方向Ｘ外側に延出するサイドシート５０がそれぞれ取り付けられ、サイドシート５０の身体側にはシート状のタブ部材６０を介して係合部材であるフック要素６１が取り付けられる。前ウエスト域１１の着衣側には、フック要素６１に脱離可能に係合し、係合部材を構成するループ要素６２が取り付けられている。ループ要素６２は、一方の前側縁１６から他方の前側縁１６へと前ウエスト域１１の横方向Ｘのほぼ全体に亘って形成され、着用者の胴回りの大きさに合わせて、フック要素６１の係合位置を調節することができるようにしている。
【００１９】
内外面シート２１，２２の間には、後端縁１５に沿って複数のウエスト弾性部材８１が横方向Ｘに伸長状態で収縮可能に取り付けられている。また、内外面シート２１，２２の間であって、少なくともクロッチ域１３に位置するクロッチ側縁１８には、このクロッチ側縁１８に沿って複数のレッグ弾性部材８２が、縦方向Ｙに伸長状態で収縮可能に取り付けられている。これら弾性部材８１，８２は、シート２１，２２の少なくともいずれか一方に接合されている。
【００２０】
内外面シート２１，２２の間に形成された吸液構造体４０は、クロッチ域１３から前後ウエスト域１１，１２に延びて形成され、クロッチ域１３では、その側縁が縦中心線Ｐ−Ｐに向かって切り欠かれた形状を有している。このような吸液構造体４０には高吸収領域が形成され、この高吸収領域では、残余の部分よりも体液の吸収容量が大きくなるようにしている。具体的には、高吸収領域は、前端縁１４側に位置する前領域４３と、後端縁１５側に位置する後領域４４とを有し、吸液性芯材４１を厚さ方向に重ねることによって形成される。
【００２１】
前後領域４３,４４は、その厚さ方向の寸法をそれぞれ２〜１０ｍｍとしている。この寸法を２ｍｍよりも薄くした場合には、残余の領域との差異を設けることが難しくなり、１０ｍｍよりも厚くした場合には、吸液構造体４０の剛性が高くなったり、着用時の違和感が生じたりする可能性がある。前後領域４３,４４と、残余の領域との厚さ方向の寸法差が約０．５ｍｍ以上とすることが望ましい。この寸法差によって、残余の領域との吸収容量の差が生じ、高吸収領域での体液の吸収能力を向上させることができる。
【００２２】
この実施形態では、高吸収領域である前後領域４３，４４は、その厚さが約９ｍｍであって、体液の吸収容量は約０．８ｇ／ｃｍ２である。これに対して、残余の領域では厚さが約５ｍｍであって、吸収容量は約０．４ｇ／ｃｍ２である。このように、高吸収領域では、残余の領域に比べて、その吸収容量が約２倍となっている。
【００２３】
前領域４３と後領域４４とは、縦方向Ｙに離間し、前領域４３は、前ウエスト域１１からクロッチ域１３に向かって延び、後領域４４は後ウエスト域１２からクロッチ域１３に向かって延び、これら前後領域４３，４４の間では高吸収領域は形成されていない。さらに、前後領域４３，４４は、横方向Ｘにそれぞれ離間して形成され、縦中心線Ｐ−Ｐを介してほぼ対称に形成されている。すなわち、前後領域４３，４４は、縦中心線Ｐ−Ｐ近傍においては、高吸収領域を形成してない。この縦中心線Ｐ−Ｐ近傍であって、内面シート２１の身体側には、図示しない尿等の体液を吸収可能な吸液性パッドを取り付けて使用することができる。
【００２４】
漏れ防止カフ３０は、内面シート２１の身体側に一対形成されている。漏れ防止カフ３０は、横方向Ｘに離間し、前端縁１４から後端縁１５まで、縦方向Ｙのほぼ全域に亘って延びている。漏れ防止カフ３０として、通気性かつ液不透液性の繊維不織布等を用いることができる。
上記のような漏れ防止カフ３０は、横方向Ｘ外側に位置し、内面シート２１に接合される基側縁部３１と、内面シート２１を介して吸液構造体４０から離間可能な自由側縁部３２とを含む。自由側縁部３２には、縦方向Ｙに伸長状態で延びるカフ弾性部材３３が取り付けられている。
【００２５】
漏れ防止カフ３０の基側縁部３１は、内面シート２１と接着手段３４を介して接合されており、接着手段３４は、前端縁１４から後端縁１５に向かって縦方向Ｙのほぼ全域に形成されている。基側縁部３１は、具体的には、内面シート２１と接合されている部分を指し、その一部が、吸液構造体４０の前後領域４３，４４と重なって位置している。好ましくは、基側縁部３１と自由側縁部３２との境界が前後領域４３，４４と重なる。ただし、前後領域４３，４４との間には、高吸収領域が形成されない部分が存在するので、この部分では、基側縁部３１と前後領域４３，４４とは重ならないことは言うまでもない。
【００２６】
上記のような漏れ防止カフ３０は、おむつ１０の着用時には、カフ弾性部材３３が収縮し、この収縮によって、自由側縁部３２が着用者に向かって起立するように内面シート２１から離間する（図３および４参照）。自由側縁部３２が内面シート２１から離間することによって、漏れ防止カフ３０が横方向Ｘに対する漏れの防護壁を形成する。すなわち、排泄された尿が、横方向Ｘに移動したとしても、この離間した漏れ防止カフ３０の自由側縁部３２によって堰き止められ、おむつ１０の横方向Ｘからの漏れを防止することができる。
【００２７】
自由側縁部３２でその横方向Ｘの移動を規制された尿は、自由側縁部３２を伝ってその下方に位置する吸液構造体４０に到達する。自由側縁部３２は、内面シート２１と接合された基側縁部３１との境界３５を起立点として、身体側に向かって起立している。したがって、尿は自由側縁部３２を伝って、起立点である基側縁部３１との境界３５に移動することとなる。基側縁部３１と、吸液構造体４０の前後領域４３，４４とが重なるように形成されているので、すなわち、基側縁部３１と自由側縁部３２との境界３５が前後領域４３，４４と重なるように形成されているので、自由側縁部３２を伝った尿は、前後領域４３，４４に到達し、これら領域４３，４４によって吸収される。したがって、自由側縁部３２を伝った尿が、自由側縁部３２の内側で滞留してしまうことがなく、これによる肌トラブルを抑制することができる。特に、前後領域４３,４４は、体液の吸収容量が残余の部分よりも大きくされているので、自由側縁部３２を伝った尿は、ほぼ確実にこの前後領域４３,４４に吸収される。また、この前後領域４３,４４では、厚さ方向の寸法が厚くされているので、残余の領域よりも先に尿が到達し、速やかな尿の吸収に寄与する。
【００２８】
また、おむつ１０は、畳んで包装されて出荷される。このとき、おむつの大きさによって、横方向Ｘに延びる折曲線７１，７２を介して縦方向Ｙにその身体側を内側として三つ折にされる。このようにおむつ１０が三つ折にされると、折曲線７１，７２では折り癖がついてしまい、着用時に折曲線７１，７２の部分が身体から離れてしまうことがある。内面シート２１および吸液構造体４０が身体から離間してしまうと、その離間部分に空隙が形成され、この空隙を尿が移動して、尿漏れやかぶれを引き起こしてしまう可能性がある。しかし、この折曲線７１，７２を吸液構造体１０の前後領域４３，４４に重ねて形成することによって、これら厚く形成された前後領域４３，４４が身体に密着可能となり空隙が形成されるのを防止することができる。したがって、これら前後領域４３，４４によって排泄された尿が吸収され、尿漏れやかぶれを抑制することができる。また、前後領域４３,４４は、その領域において厚くすることによって、残余の領域に比べて剛性を高くすることもできる。このように剛性を高くした場合には、折曲線７１,７２によって折り癖がつきにくく、身体から離間するのを抑制することもできる。
【００２９】
一方、折曲線７１，７２でおむつ１０に折り癖がついてしまった場合には、この折曲線７１，７２に尿が溜まりやすくなるが、折曲線７１，７２が高吸収領域である前後領域４３，４４に重なることによって、この溜まった尿を吸収することができる。また、漏れ防止カフ３０の基側縁部３１と前後領域４３，４４とが重なる位置に、折曲線７１，７２を形成することによって、折曲線７１，７２近傍に溜まった尿の横方向Ｘ外側への漏れを抑制するとともに、自由側縁部３２を伝った尿を確実に前後領域４３，４４で吸収することができる。ただし、折曲線７１，７２は、必ずしもこのような構成に限られたものではなく、おむつ１０の大きさや、折り畳み方によって適宜変更可能であって、折曲線７１，７２と前後領域４３，４４等との位置関係も変更可能である。
【００３０】
上記のようにおむつ１０を三つ折にする場合には、折曲線７１，７２は、前後ウエスト域１１，１２とクロッチ域１３との間にそれぞれ形成されることが多い。したがって、前後領域４３，４４を、クロッチ域１３から前後ウエスト域１１，１２へと連続して形成することによって、折曲線７１，７２と前後領域４３，４４とを一致させることができる。なお、おむつ１０を二つ折りにする場合には、折曲線は一条となり、横中心線Ｑ−Ｑ近傍に形成されることが多い。したがって、領域を横中心線Ｑ−Ｑ近傍に形成することが好ましい。いずれにしても、折曲線と高吸収領域とを一致するように形成することによって、身体からおむつの一部が離間して空隙が形成されるのを抑制するとともに、尿が溜まってしまった場合でもこれを確実に吸収することができる。このような効果を発揮するためには、前後領域４３，４４が分割されることなく、縦方向Ｙに連続していてもよい。
【００３１】
残余の領域よりも厚い前後領域４３，４４は、縦中心線Ｐ−Ｐ近傍では形成されないので、縦中心線Ｐ−Ｐ近傍には窪みが形成される。おむつ１０に図示しない吸液性パッドを別途使用する場合には、窪みに吸液性パッドを収めることができるので、この吸液性パッドを取り付けやすくすることができる。吸液性パッドを取り外し可能とすることによって、何度も取り替えることができるが、この窪みにあわせて吸液性パッドを置くだけで適切な位置に吸液性パッドを取り付けることもできる。
【００３２】
上記のような前後領域４３，４４は、厚さ方向に吸液性芯材４１を重ねることによって形成することができる。このように、吸液性芯材４１を重ねるだけでよいので、前後領域４３，４４を形成するための特別な装置等を必要とせず、コストの増加を抑えることができる。また、前後領域４３，４４以外の部分では、吸液性芯材４１の量を少なくすることができるので、その分コストの削減を図ることができる。
【００３３】
この実施形態では、高吸収領域が吸液性芯材４１を厚さ方向に重ねることによって形成されるが、体液の吸収容量が残余の部分よりも大きくなればよいので、例えば、吸液性芯材４１の単位面積当たりの質量を多くすることも考えられる。この場合、高吸収領域の単位面積当たりの質量は、１００〜５５０ｇ／ｍ２にすることが望ましい。質量が１００ｇ／ｍ２よりも小さくなると、残余の領域との差異が小さくなってしまい、５５０ｇ／ｍ２よりも大きくなると、剛性が高くなり、着用感が悪くなりかねないからである。また、高吸収領域と残余の領域との単位面積当たりの質量の差は、２５ｇ／ｍ２であるのが好ましい。
【００３４】
単位面積当たりの質量を多くすることによって、高吸収領域を形成する場合には、吸液性芯材４１の厚さを変えずに、吸液性芯材４１の量を増やすことができるので、着用者に対する違和感を軽減させることができる。また、このように単位面積当たりの質量を多くした場合には、高吸収領域の剛性を高くすることができ、着用物品が折曲線を介して折り曲げられても、折り代の形成を抑制することができる。折り代が形成されにくくなることによって、折曲線で吸液構造体４０が着用者から離間して空隙が形成されるのを抑制することができる。また、上記のような高吸収領域では、残余の領域に比べて吸液性芯材が密になっているので、体液の吸収速度が他の部分に比べて早くなる。したがって、吸液性パッドに吸収されずにその横方向Ｘの外側に体液が漏れたときには、すばやく高吸収領域でこれを吸収することができる。
【００３５】
この発明において、フック要素およびループ要素としては、例えばこの発明に係る着用物品の技術分野で慣用されている「ベルクロ（登録商標）」や「マジックテープ（登録商標）」を用いることができる。係合部材は、フック要素およびループ要素に限定されることなく、他の手段を用いて前後ウエスト域を連結させてもよい。
ウエスト弾性部材８１およびレッグ弾性部材８２は、複数条の糸状、ストランド状、テープ状などのゴム弾性を有する材料によって形成され、これら材料の収縮力によって、ウエスト開口およびレッグ開口が着用者にフィットし尿等の漏れを防止するようにしている。これらウエスト弾性部材８１およびレッグ弾性部材８２は、天然ゴムまたはポリウレタン等の合成ゴム等のゴム弾性を有する材料を用いることができ、これら各材料に替えて、ゴム弾性を有する繊維不織布やプラスチックシート等を用いることもでき、一般的な弾性部材を使用することができる。接着手段としては、接着剤、サーマルまたはウルトラソニックボンド等の慣用技術を用いることができる。
【００３６】
この発明では、いわゆるオープンタイプのおむつを一例に説明しているが、プルオン・パンツタイプのおむつを使用することもできる。また、おむつの身体側に吸液性パッドをさらに取り付けて使用することとしているが、これに限られることなく、吸液性パッドを使用しないものであってもよい。
【図面の簡単な説明】
【００３７】
【図１】おむつを立体的に組み立てたときの斜視図。
【図２】図１の展開平面図。
【図３】図２のＩＩＩ−ＩＩＩ線断面概要図。
【図４】図２のＩＶ−ＩＶ線断面概要図。
【符号の説明】
【００３８】
１０    おむつ
１１    前ウエスト域
１２    後ウエスト域
１３    クロッチ域
２０    シャーシ
３０    漏れ防止カフ
３１    基側縁部
３２    自由側縁部
３３    カフ弾性部材
４０    吸液構造体
４３    前領域（高吸収領域）
４４    後領域（高吸収領域）
７１    折曲線
７２    折曲線
【図１】
2010136894.tif 000003
【図２】
2010136894.tif 000004
【図３】
2010136894.tif 000005
【図４】
2010136894.tif 000006